(57)【要約】【課題】  ビデオカメラ本体の剛性を損なうことなく、操作性に優れ、小型化が可能で、故障のすることの少ない信頼性の高いビデオカメラを提供する。【解決手段】  メモリ端子を備えた記録媒体が装着可能な装着部と、前記装着部を覆うものであって本体に対して回動可能な蓋部と、前記蓋部を本体に対してロック可能なロック部とを備えたビデオカメラであって、前記装着部はメモリ端子を収めるための凸部を有し、蓋部が閉状態の時に前記ロック部は前記メモリ端子の凸部を避けた場所に位置する。【選択図】        図３
2007013605.tif 000002
【特許請求の範囲】
【請求項１】
メモリ端子を備えた記録媒体が装着可能な装着部と、
前記装着部を覆うものであって本体に対して回動可能な蓋部と、
前記蓋部を本体に対してロック可能なロック部とを備えたビデオカメラであって、
前記装着部はメモリ端子を収めるための凸部を有し、蓋部が閉状態の時に前記ロック部は前記メモリ端子の凸部を避けた場所に位置することを特徴とするビデオカメラ。
【請求項２】
前記蓋部が閉状態の時は、前記ロック部とメモリ端子の凸部は略同一面上にある状態になることを特徴とする請求項１記載のビデオカメラ。
【請求項３】
前記ロック部はそれを保持する蓋部に設けられた保持部材と前記装着部との間に備えられることを特徴とする請求項１記載のビデオカメラ。
【発明の詳細な説明】
【技術分野】
【０００１】
本発明はビデオカメラに関し、特にメモリ端子を備えた記録媒体が装着可能なレコーダー機構を備えたビデオカメラに関するものである。
【背景技術】
【０００２】
近年、ビデオカメラの小型化は目覚ましく、ビデオカメラ本体の大きさは減少する傾向にある。また記録媒体が装着されるレコーダー機構などには一端が蝶着された回動カバーで覆うことのできる構成が採用されている。この回動カバーによって、ゴミの進入の防止や誤動作等の防止が図られ、或いは外観の美観の向上を図ることができる。
【０００３】
一般に、回動カバーは、使用中に不用意に開くのを防止し、操作性等を向上させるためのロック機構を備えている。ユーザーは記録媒体を交換する場合はロック機構を解除し回動カバーを開放すると、回動カバーの回動を検知する検知スイッチが入り、レコーダー機構はスライド及びポップアップし記録媒体を出し入れできる状態となる。
【０００４】
またＤＶフォーマットに準拠したビデオカメラでは記録媒体（カセットテープ）にメモリ端子が備えられており、記録媒体の記録可能時間、撮影日時などの撮影情報がビデオカメラ本体と通信できるようになっている。
【０００５】
ここで、従来のビデオカメラの一例として、メモリ端子を備えた記録媒体が装着される装着部を覆う回動可能な蓋部と、メモリ端子の凸部を有する前記蓋部で覆われたレコーダー機構を備えたビデオカメラについて図６、図７を用いて説明する。
【０００６】
図６は従来例を示すビデオカメラの前方斜視図である。
【０００７】
１は撮像レンズ、２は録音マイクで、撮像レンズ１の下部にレイアウトされている。３は液晶表示装置で、一側辺部が本体に、図示していないヒンジ機構によって本体部に対して水平方向に回転可能に連結されている。これにより、未使用時においては本体部に折り畳んで収納でき、また、使用時においては、液晶表示装置を本体部の側方に開き、モニターすることができる。
【０００８】
４は記録媒体が装着される装着部を覆う回動カバーであり、回動カバー４の内部には図示していないレコーダー機構が具備されている。そして回動カバー４は図示していないヒンジ機構によって本体部に対して垂直方向に回転可能に連結されている。また５は取り出しツマミ、６はズームレバーで回動カバー４に具備されている。さらに回動カバー４には取り出しつまみ５と連動した図示していないロックレバーが備えられ、本体部と係止関係にあるため回動カバー４は回動を規制されている。
【０００９】
よって、記録媒体を交換する場合は取り出しツマミ５をスライド操作し、本体部との係止関係を解除しながら回動カバー４を本体部の側方に開くと、検知スイッチが入り、レコーダー機構はスライド及びポップアップし記録媒体を出し入れできる状態となる。
【００１０】
次に図７の断面図を用いて従来例を示すビデオカメラの回動カバー４の構成について説明する。
【００１１】
７はレコーダー機構でメモリ端子の凸部７ａを有している。そしてレコーダー機構７の凸部７ａから所定のクリアランス７ｂをとって回動カバー４を保持する保持部材８が備えられている。更に保持部材８には取り出しツマミ５と連動したロックレバー９が図示していないカシメピンによってスライド可能に係合している。
【００１２】
特に、特許文献１にはカセットを収納するために開閉蓋を設けたビデオカメラが開示されている。
【００１３】
また、特許文献２にはカセットを収納するカセット蓋に設けられる蓋の開閉装置（ロック機構）が開示されている。
【特許文献１】特開平８−２７９９４１号公報
【特許文献２】特開２０００−５０１２０号公報
【発明の開示】
【発明が解決しようとする課題】
【００１４】
しかしながら、上記従来例のレイアウトでは、ビデオカメラ本体の大きさはレコーダー機構７のメモリ端子の凸部７ａからクリアランス７ｂ、保持部材８の厚み、ロックレバー９の厚み、回動カバー４の厚みを合計したものとなるために、ビデオカメラ本体を小型化するためには、クリアランス７ｂを詰めるか、各部材の厚みを薄くしなければならない。
【００１５】
しかし、クリアランス７ｂを詰めると組み込みや部品精度のばらつきによってレコーダー機構７の凸部７ａが保持部材８と干渉してしまい、レコーダー機構の性能を十分に満足できない恐れがある。
【００１６】
また、各部材の厚みを薄くするとビデオカメラ本体を握った時の剛性感が劣り、品位のないものとなってしまうばかりでなく、レコーダー機構７に応力が掛かってしまい、故障の原因となってしまう恐れがある。
【００１７】
本発明はこのような従来の問題点を解消するためになされたもので、小型で品位の良いビデオカメラを提供することを目的とする。
【課題を解決するための手段】
【００１８】
このため、本発明においては、下記の各項（１）〜（３）のいずれかに示すビデオカメラを提供することにより、前記目的を達成しようとするものである。
【００１９】
（１）メモリ端子を備えた記録媒体が装着可能な装着部と、前記装着部を覆うものであって本体に対して回動可能な蓋部と、前記蓋部を本体に対してロック可能なロック部とを備えたビデオカメラであって、前記装着部はメモリ端子を収めるための凸部を有し、蓋部が閉状態の時に前記ロック部は前記メモリ端子の凸部を避けた場所に位置する。
【００２０】
（２）前記蓋部が閉状態の時は、前記ロック部とメモリ端子の凸部は略同一面上にある状態になる。
【００２１】
（３）前記ロック部はそれを保持する蓋部に設けられた保持部材と前記装着部との間に備えられる。
【発明の効果】
【００２２】
本発明の構成によれば、ビデオカメラ本体の剛性を損なうことなく、操作性に優れ、小型化が可能で、故障のすることの少ない信頼性の高いビデオカメラを提供することができる。
【発明を実施するための最良の形態】
【００２３】
以下、本発明を実施するための形態に関して説明する。
【実施例】
【００２４】
本発明によるビデオカメラの一例として、図１および図２を用いて説明する。
【００２５】
図１は本発明によるビデオカメラの収納状態を示す前方斜視図、図２は本発明によるビデオカメラの記録媒体が装着される装着部を覆う回動カバーを開いた状態を示す前方斜視図である。
【００２６】
１は撮像レンズ、２は録音マイクで、撮像レンズ１の下部にレイアウトされている。３は液晶表示装置で、一側辺部が本体に、図示していないヒンジ機構によって本体部に対して水平方向に回転可能に連結されている。これにより、未使用時においては本体部に折り畳んで収納でき、また、使用時においては、液晶表示装置を本体部の側方に開き、モニターすることができる。
【００２７】
２０は記録媒体が装着される装着部を覆う回動カバーで、回動カバー２０の内部にメモリ端子の凸部２１ａを有するレコーダー機構２１が具備されている。そして回動カバー２０には、指掛けとなる凹部２０ａが形成されており、撮影時の操作性を向上させている。更に回動カバー２０はスライド操作可能な取り出しツマミ２２とズームユニット２４が備えられ、取り出しツマミ２２と連動するスライド可能なロックレバー２３が図示していないビデオカメラ本体部のロック部材と係合している。
【００２８】
よって、記録媒体を交換する場合は取り出しツマミ２２をスライド操作し、本体部のロック部材とロックレバー２３の係合関係を解除しながら回動カバー２０を本体部の側方に開くと、検知スイッチが入り、レコーダー機構２１はスライド及びポップアップし記録媒体を出し入れできる状態となる。
【００２９】
以下、図３の分解斜視図において本発明による回動カバー２０の具体的構成の一例を説明する。
【００３０】
図中、２５は略Ｌ字形状した保持部材で両端部にアーム形状２５ａが形成されている。更にアーム形状２５ａの先端には軸穴２５ｂが設けられ、図示していない本体フレーム部材に回転自在に軸穴２５ｂがカシメられている。また両端に爪形状２３ｂを有したロックレバー２３は保持部材２５の下方面側にカシメピン２６によって保持部材２５に設けられた長穴２５ｃにスライド可能にカシメられている。そしてリリースレバー２７が保持部材２５の上方面側にカシメピン２８によって保持部材２５の穴２５ｄに回転自在にカシメられている。
【００３１】
また、ロックバネ２９の片端はロックレバー２３のフック部２３ａに掛けられ、もう一方の端はリリースレバー２７のフック部２７ａに掛けられている。この時、ロックレバー２３に設けられたＬ字状穴２３ｃとリリースレバー２７の曲げ部２７ｂは係合している。したがってロックレバー２３はロックバネ２９に付勢力を矢印Ａ方向（爪部２３ｂが図示していないビデオカメラ本体部のロック部材と係合する方向）に与えられている。
【００３２】
更に、取り出しツマミ２２は保持部材２５の穴２５ｅから露出したロックレバー２３の曲げ部２３ｄに係合する穴が底面部に設けられている。そして保持部材２５と回動カバー２０にスライド可能に挟み込まれている。この時、取り出しツマミ２２の操作部は回動カバー２０に設けられた角穴２０ｂから出っ張る構成となっている。またズームユニット２４も保持部材２５と回動カバー２０に挟み込まれて保持されている。ズームユニット２４のフレキケーブル２４ａはビデオカメラ本体部の信号処理回路に接続されて、ズームなどの操作情報を伝達している。
【００３３】
記録媒体を交換する場合は取り出しツマミ２２をロックバネ２９の付勢力に逆らいながらスライド操作するとロックレバー２３もスライドし、ビデオカメラ本体部のロック部材とロックレバー２３の爪部２３ｂの係合関係が解除される。よって回動カバー２０を本体部の側方に開くことが可能となる。
【００３４】
図４、図５は記録媒体が装着される装着部を覆う回動カバー２０の詳細な構成を示す断面図である。
【００３５】
ロックレバー２３はレコーダー機構２１のメモリ端子の凸部２１ａを避けた位置にレイアウトされると共に保持部材２５とレコーダー機構２１の間に備えられている。つまり、回動カバーが記録媒体の装着部を覆う形で閉じた場合は、ロックレバー２３とメモリ端子の凸部２１ａは略同一面上にある状態になる。
【００３６】
よって、ビデオカメラ本体の大きさはレコーダー機構２１のメモリ端子の凸部２１ａからクリアランス２１ｂ、保持部材２５の厚み、回動カバー２０の厚みを合計したものとなるため、従来例に比べてロックレバー２３の厚みだけビデオカメラ本体を小さくすることができる。
【図面の簡単な説明】
【００３７】
【図１】本発明によるビデオカメラの収納状態を示す前方斜視図
【図２】本発明によるビデオカメラの記録媒体装着時に回動カバーを開いた状態を示す前方斜視図
【図３】本発明によるビデオカメラの回動カバー部を示す分解斜視図
【図４】本発明によるビデオカメラの一例を示す部分断面図
【図５】本発明によるビデオカメラの一例を示す別の部分断面図
【図６】従来例を示すビデオカメラの前方斜視図
【図７】従来例を示すビデオカメラの部分断面図
【符号の説明】
【００３８】
１      撮像レンズ
２      録音マイク
３      液晶表示装置
４      回動カバー
５      取り出しツマミ
６      ズームレバー
７      レコーダー機構
７ａ    凸部
７ｂ    クリアランス
８      保持部材
９      ロックレバー
２０    回動カバー
２０ａ  指掛け部
２１    レコーダー機構
２１ａ  凸部
２２    取り出しツマミ
２３    ロックレバー
２３ａ  フック部
２３ｂ  爪部
２３ｃ  Ｌ字状穴
２３ｄ  曲げ部
２４    ズームユニット
２４ａ  フレキケーブル
２５    保持部材
２５ａ  アーム形状
２５ｂ  軸穴
２５ｃ  長穴
２５ｄ  穴
２５ｅ  穴
２６    カシメピン
２７    リリースレバー
２７ａ  フック部
２７ｂ  曲げ部
２８    カシメピン
２９    ロックバネ
【図１】
2007013605.tif 000003
【図２】
2007013605.tif 000004
【図３】
2007013605.tif 000005
【図４】
2007013605.tif 000006
【図５】
2007013605.tif 000007
【図６】
2007013605.tif 000008
【図７】
2007013605.tif 000009